(57)【要約】      （修正有）【課題】バックフォーカスを所定の範囲に短縮すると共に、全体の厚さを低減することができる単レンズの結像レンズを有する撮像装置及び撮像装置アレイを提供する。【解決手段】単レンズの結像レンズを有する撮像装置３は、光軸に沿って対物側から結像側の方向に順番に配置される、対物側３１ａ及び結像側３１ｂを有し、光学作用領域３１１及び非光学作用領域３１２を有するレンズ３１と、レンズ３１の結像側３１ｂに対向配置されるイメージセンサ３５と、を含む。また、単レンズの結像レンズを有する撮像装置３は、条件、ＢＦＬ／ＴＴＬ＝０．５５〜０．８１、ＯＨ／ＯＤ＝１．０〜３．６を満足する。また、単レンズの結像レンズを有する撮像装置アレイは、複数の単レンズの結像レンズからなるモジュールとして作成後、撮像装置３に分割される。【選択図】図３
0003167039.tif 000002
【実用新案登録請求の範囲】
【請求項１】
光軸に沿って対物側から結像側の方向に順番に配置される、
対物側及び結像側を有すると共に光学作用領域及び非光学作用領域を有するレンズと、前記レンズの結像側に対向配置されるイメージセンサと、を備え、
条件、ＢＦＬ／ＴＴＬ＝０．５５〜０．８１、ＯＨ／ＯＤ＝１．０〜３．６を満足することを特徴とする単レンズの結像レンズを有する撮像装置。
ここで、ＴＴＬは、光軸上のレンズの対物側からイメージセンサまでの全長、ＢＦＬは、単レンズの結像レンズを有する撮像装置のバックフォーカス、ＯＤは、光軸上の対象物からレンズの対物側までの長さ、ＯＨは、ＯＤ上の光軸と垂直の面内に位置する対象物の最大撮像範囲を示す。
【請求項２】
前記レンズの結像側は、前記イメージセンサ上に直接貼着されることを特徴とする請求項１に記載の単レンズの結像レンズを有する撮像装置。
【請求項３】
開口絞り、カバーガラス、赤外線フィルタ又はそれらの組み合わせである少なくとも１つの光学部材をさらに備え、前記光学部材と前記レンズ又は前記イメージセンサとの間は、直接貼着されるか、或いは、２つ以上の光学部材を備え、前記２つ以上の光学部材が直接貼着されることにより、積層構造が形成されることを特徴とする請求項１に記載の単レンズの結像レンズを有する撮像装置。
【請求項４】
前記赤外線フィルタは、めっきにより、前記レンズの結像側又は対物側の光学作用領域に形成される薄膜状の赤外線フィルタであることを特徴とする請求項３に記載の単レンズの結像レンズを有する撮像装置。
【請求項５】
前記開口絞りは、前記レンズの結像側又は対物側の非光学作用領域上に配置されることを特徴とする請求項３に記載の単レンズの結像レンズを有する撮像装置。
【請求項６】
アレイ配列された複数のレンズを有するレンズアレイと、
アレイ配列された複数のイメージセンサを有し、該複数のイメージセンサは、前記複数のレンズアレイと対向配置されるイメージセンサアレイと、を備える単レンズの結像レンズを有する撮像装置アレイであって、
前記単レンズの結像レンズを有する撮像装置アレイは、複数の単レンズの結像レンズを有する撮像装置に分割され、該単レンズの結像レンズを有する撮像装置は、
光軸に沿って対物側から結像側の方向に順番に配置される、
対物側及び結像側を有するレンズと、
前記レンズの結像側に対向配置されるイメージセンサと、を備え、
条件、ＢＦＬ／ＴＴＬ＝０．５５〜０．８１、ＯＨ／ＯＤ＝１．０〜３．６を満足することを特徴とする単レンズの結像レンズを有する撮像装置アレイ。
ここで、ＴＴＬは、光軸上のレンズの対物側からイメージセンサまでの全長、ＢＦＬは、単レンズの結像レンズを有する撮像装置のバックフォーカス、ＯＤは、光軸上の対象物からレンズの対物側までの長さ、ＯＨは、ＯＤ上の光軸と垂直の面内に位置する対象物の最大撮像範囲を示す。
【請求項７】
前記レンズの結像側は、前記イメージセンサ上に直接貼着されることを特徴とする請求項６に記載の単レンズの結像レンズを有する撮像装置アレイ。
【請求項８】
開口絞りアレイ、カバーガラスアレイ、赤外線フィルタアレイ又はそれらの組み合わせである少なくとも１つの光学部材アレイをさらに備え、前記光学部材アレイと前記レンズアレイ又はイメージセンサアレイとの間は、直接貼着されるか、或いは、２つ以上の光学部材アレイを備え、前記２つ以上の光学部材アレイが直接貼着されることにより、アレイ積層構造が形成されることを特徴とする請求項６に記載の単レンズの結像レンズを有する撮像装置アレイ。
【考案の詳細な説明】
【技術分野】
【０００１】
本考案は、撮像装置及び撮像装置アレイに関し、特に、撮像装置アレイを複数の超薄型撮像装置に分割し、各超薄型撮像装置を携帯電話に適用したり、イメージセンサ（ＣＣＤ、ＣＭＯＳなど）と組み合わせて使用したりする単レンズの結像レンズを有する撮像装置及び撮像装置アレイに関する。
【背景技術】
【０００２】
科学技術の進歩に伴い、電子製品は、更なる軽薄短小化及び多機能化が進んでいる。電子製品中、例えば、デジタルカメラ（Ｄｉｇｉｔａｌ  Ｓｔｉｌｌ  Ｃａｍｅｒａ）、ＰＣカメラ（ＰＣ  ｃａｍｅｒａ）、ネットワークカメラ（Ｎｅｔｗｏｒｋ  ｃａｍｅｒａ）、携帯電話などの電子製品には、撮像装置が装着されている。また、ＰＤＡなどの装置にも撮像装置の装着が求められている。撮像装置は、良好な結像品質を実現する必要がある上、携帯に便利なように、体積が小さく、低コストである必要がある。これにより、撮像装置の応用性を有効に高めることができる。特に、撮像装置を携帯電話に応用する場合、体積が小さく、低コストであることは、最も重要である。
【０００３】
一般に、撮像装置は、レンズ群（１つでもよい）、光学絞り、赤外線フィルタ、カバーガラス及びイメージセンサからなる。
図１を参照する。図１は、特許文献１の単レンズの結像レンズを有する撮像装置を示す断面図である。単レンズの結像レンズを有する撮像装置１は、イメージセンサ１１と、イメージセンサ１１上方に配置されるレンズホルダ１２と、一部がレンズホルダ１２内に配置されるレンズモジュール１３と、レンズホルダ１２内に配置され、イメージセンサ１１を被覆するカバーガラス１４と、を備える。また、レンズモジュール１３内部には、レンズ１５及び赤外線フィルタ１６が配置される。単レンズの結像レンズを有する撮像装置１は、レンズ１５を介して光線をイメージセンサ１１上に結像する。しかし、レンズホルダ１２とレンズモジュール１３との接続構造が大きすぎるため、単レンズの結像レンズを有する撮像装置１の体積が大きいという欠点を有する。
【０００４】
そこで、特許文献２において、積層型の単レンズの結像レンズを有する撮像装置が開示されている。図２は、特許文献２の積層型の単レンズの結像レンズを有する撮像装置を示す断面図である。単レンズの結像レンズを有する撮像装置２は、底部から上部の方向に順番に配置される、イメージセンサ２１、スペーサ２２、カバーガラス２３、赤外線フィルタ２４、光学絞り２５、レンズ２６などの部材からなる。また、上述の各部材は、相対する面と面で互いに貼着されるため、単レンズの結像レンズを有する撮像装置２の厚さを有効に低減することができる。
【０００５】
上述の従来の単レンズの結像レンズを有する撮像装置の厚さは、従来のものより薄いが、電子製品は、さらなる小型化が求められており、より体積が小さい撮像装置を使用しなければ、電子製品の体積を縮小させるのが困難となる。特に、単レンズの結像レンズを有する撮像装置の場合、レンズのバックフォーカス（ｂａｃｋ  ｆｏｃａｌ）が所定の長さを有するため、更なる小型化を実現できなかった。
【先行技術文献】
【特許文献】
【０００６】
【特許文献１】台湾特許公開第２００８１４９０２号
【特許文献２】台湾特許公告第Ｉ３０２６３０号
【特許文献３】ＷＯ２００６／０４６３９６号公報
【考案の概要】
【考案が解決しようとする課題】
【０００７】
本考案の目的は、レンズの設計により、バックフォーカスを所定の範囲に短縮すると共に、各光学部材間を面と面で互いに直接貼着することにより、全体の厚さを低減することができる単レンズの結像レンズを有する撮像装置及び撮像装置アレイを提供することにある。
【課題を解決するための手段】
【０００８】
上述の課題を解決するために、本考案の単レンズの結像レンズを有する撮像装置は、光軸に沿って対物側から結像側の方向に順番に配置される、対物側及び結像側を有すると共に光学作用領域及び非光学作用領域を有するレンズと、レンズの結像側に対向配置されるイメージセンサと、を備える。また、条件、ＢＦＬ／ＴＴＬ＝０．５５〜０．８１、ＯＨ／ＯＤ＝１．０〜３．６を満足する。ここで、ＴＴＬは、光軸上のレンズの対物側からイメージセンサまでの全長を示す。ＢＦＬは、単レンズの結像レンズを有する撮像装置のバックフォーカスを示す。ＯＤは、光軸上の対象物（ＯＢＪ）からレンズの対物側までの長さを示す。ＯＨは、ＯＤ上の光軸と垂直の面内に位置する対象物の最大撮像範囲を示す。
【０００９】
上述の課題を解決するために、本考案の単レンズの結像レンズを有する撮像装置アレイは、アレイ配列された複数のレンズを有するレンズアレイと、アレイ配列された複数のイメージセンサを有するイメージセンサアレイと、からなる。複数のイメージセンサと複数のレンズとは、対向配置される。単レンズの結像レンズを有する撮像装置アレイは、複数の単レンズの結像レンズを有する撮像装置に分割される。各単レンズの結像レンズを有する撮像装置は、光軸に沿って対物側から結像側の方向に順番に配置される、対物側及び結像側を有するレンズと、レンズの結像側に対向配置されるイメージセンサと、を備える。また、単レンズの結像レンズを有する撮像装置は、条件、ＢＦＬ／ＴＴＬ＝０．５５〜０．８１、ＯＨ／ＯＤ＝１．０〜３．６を満足する。ここで、ＴＴＬは、光軸上のレンズの対物側からイメージセンサまでの全長を示す。ＢＦＬは、単レンズの結像レンズを有する撮像装置のバックフォーカスを示す。ＯＤは、光軸上の対象物（ＯＢＪ）からレンズの対物側までの長さを示す。ＯＨは、ＯＤ上の光軸と垂直の面内に位置する対象物の最大撮像範囲を示す。
【考案の効果】
【００１０】
本考案の技術により、単レンズの結像レンズを有する撮像装置の全長及びバックフォーカスを短縮できるため、携帯電話に求められる軽薄短小化を実現することができると共に携帯電話内部の空間に余裕を持たせることができる。また、本考案の単レンズの結像レンズを有する撮像装置の構造は、医療用の内視鏡レンズ、短焦点レンズなどの他のレンズに応用することができる。また、本考案の単レンズの結像レンズを有する撮像装置に採用される部材は、厚さが薄いため、有効にコストを低減することができる。
【図面の簡単な説明】
【００１１】
【図１】従来の単レンズの結像レンズを有する撮像装置を示す断面図である。
【図２】従来の単レンズの結像レンズを有する撮像装置を示す断面図である。
【図３】本考案の第１実施形態による単レンズの結像レンズを有する撮像装置を示す断面図である。
【図４】本考案の第２実施形態による単レンズの結像レンズを有する撮像装置を示す断面図である。
【図５】本考案の単レンズの結像レンズを有する撮像装置の実施例１を示す断面図である。
【図６】本考案の単レンズの結像レンズを有する撮像装置の実施例２を示す断面図である。
【図７】本考案の単レンズの結像レンズを有する撮像装置の実施例３を示す断面図である。
【図８】本考案の単レンズの結像レンズを有する撮像装置の実施例４を示す断面図である。
【図９】本考案の単レンズの結像レンズを有する撮像装置の実施例５を示す断面図である。
【図１０】本考案の単レンズの結像レンズを有する撮像装置の実施例６を示す断面図である。
【図１１】本考案の単レンズの結像レンズを有する撮像装置の実施例７を示す断面図である。
【図１２】本考案の単レンズの結像レンズを有する撮像装置の実施例８を示す断面図である。
【図１３】本考案の単レンズの結像レンズを有する撮像装置の実施例９を示す断面図である。
【図１４】本考案の単レンズの結像レンズを有する撮像装置の実施例１０を示す断面図である。
【図１５】本考案の単レンズの結像レンズを有する撮像装置アレイを示す斜視図である。
【図１６】図１５の分解斜視図である。
【考案を実施するための形態】
【００１２】
本考案は、レンズの構造により、レンズのバックフォーカスを短縮するものであり、これにより、単レンズの結像レンズを有する撮像装置全体の厚さを低減できるだけでなく、近距離（対象物との距離）から大きな対象物を撮像することができる。
【００１３】
本考案の超薄型の単レンズの結像レンズを有する撮像装置は、以下の数式１及び数式２に示す条件を満足する。
【００１４】
〔数式１〕
ＢＦＬ／ＴＴＬ＝０．５５〜０．８１
【００１５】
〔数式２〕
ＯＨ／ＯＤ＝１．０〜３．６
【００１６】
ここで、ＴＴＬは、光軸上のレンズの対物側からイメージセンサまでの全長を示す。ＢＦＬは、単レンズの結像レンズを有する撮像装置のバックフォーカスを示す。ＯＤは、光軸上の対象物（ＯＢＪ）からレンズの対物側までの長さを示す。ＯＨは、ＯＤ上の光軸と垂直の面内に位置する対象物の最大撮像範囲を示す。
【００１７】
以下に２つの実施形態を示すことにより、本考案の単レンズの結像レンズを有する撮像装置の光学構造を詳細に説明する。
【００１８】
（第１実施形態）
図３を参照する。図３は、本考案の第１実施形態による単レンズの結像レンズを有する撮像装置３を示す断面図である。本考案の第１実施形態による単レンズの結像レンズを有する撮像装置３は、光軸Ｚに沿って対物側から結像側の方向に順番に配置される、レンズ３１、開口絞り（ａｐｅｒｔｕｒｅ  ｓｔｏｐ）３２、赤外線フィルタ（ＩＲ  ｃｕｔ−ｏｆｆ  ｆｉｌｔｅｒ）３３、カバーガラス３４及びイメージセンサ（Ｉｍａｇｅ  ｓｅｎｓｉｎｇ  ｃｈｉｐ）３５からなる。また、単レンズの結像レンズを有する撮像装置３前方に位置する対象物（ｏｂｊｅｃｔ）３６は、結像される物体である。結像時、対象物３６からの光線は、まず、レンズ３１を通過した後、赤外線フィルタ３３及びカバーガラス３４を通過し、イメージセンサ３５上に結像される。
【００１９】
レンズ３１は、プラスチック又はガラスからなる。レンズ３１は、両凸（ｂｉ−ｃｏｎｖｅｘ）レンズ、両凹（ｂｉ−ｃｏｎｃａｖｅ）レンズ、メニスカス（ｍｅｎｉｓｃｕｓ）レンズ、平凸（ｐｌａｎｏ−ｃｏｎｖｅｘ）レンズ又は平凹（ｐｌａｎｏ−ｃｏｎｃａｖｅ）レンズである。
【００２０】
レンズ３１は、対物側３１ａ及び結像側３１ｂを有すると共に、光線が通過する光学作用領域３１１と、光線が通過しない非光学作用領域３１２と、を有する。対物側３１ａ及び結像側３１ｂは、凸面、凹面、球面又は非球面である。仮に、非球面である場合、非球面方程式（Ａｓｐｈｅｒｉｃａｌ  Ｓｕｒｆａｃｅ  Ｆｏｒｍｕｌａ）は、数式３である。
【００２１】
【数１】
0003167039.tif 000003
【００２２】
ここで、Ｚは、レンズの光学面上の任意の１点から光軸方向におけるレンズ面頂点の平面までの距離である。ｃは曲率である。ｈはレンズ高さである。Ｋは円錐定数（Ｃｏｎｉｃ  Ｃｏｎｓｔａｎｔ）、Ａ４〜Ａ１４は、それぞれ４次〜１４次の非球面係数である。
【００２３】
図３に示す
ように、本考案の第１実施形態におけるレンズ３１は、メニスカスレンズであると共に、対物側３１ａ及び結像側３１ｂは、いずれも非球面である。
【００２４】
開口絞り３２は、中置絞りの一種であり、レンズ３１と赤外線フィルタ３３との間に配置される。また、開口絞り３２は、レンズ３１の結像側３１ｂの非光学作用領域３１２に直接貼着される。
【００２５】
赤外線フィルタ３３は、赤外線をフィルタリングする機能を有するレンズ又はフィルムである。赤外線フィルタ３３は、メッキによって形成してもよい。本考案の第１実施形態において、赤外線フィルタ３３は、レンズであり、開口絞り３２上に直接貼着される。
【００２６】
イメージセンサ３５は、ＣＣＤ（電荷結合素子）又はＣＭＯＳ（相補型金属酸化膜半導体）である。
【００２７】
表１及び図３を合わせて参照する。表１には、対物側から結像側の方向に順番に連番が記された光学面番号、光軸Ｚ上の各光学面の曲率半径（ｔｈｅ  ｒａｄｉｕｓ  ｏｆ  ｃｕｒｖａｔｕｒｅ）Ｒ（単位：ｍｍ）、光軸Ｚ上の各面の間隔（ｔｈｅ  ｏｎ−ａｘｉｓ  ｓｕｒｆａｃｅ  ｓｐａｃｉｎｇ）ｄ、レンズの屈折率Ｎｄ、アッベ数（Ａｂｂｅ’ｓ  ｎｕｍｂｅｒ）ｖｄ、焦点距離（ｆｏｃａｌ  ｌｅｎｇｔｈ）ｆ（単位：ｍｍ）、最大視野角（Ｆｉｅｌｄ  ｏｆ  ｖｉｅｗ／ｍａｘｉｍｕｍ  ｆｉｅｌｄ  ａｎｇｌｅ）ＦＯＶ及び対象物の高さＯＨ（単位：ｍｍ）を記す。
【００２８】
【表１】
0003167039.tif 000004
【００２９】
本考案の第１実施形態中、レンズ３１は、Ｎｄ＝１．４８７、Ｖｄ＝７０．２であり、ガラス材料からなる。また、赤外線フィルタ３３は、ガラス材料からなる。
【００３０】
本考案の第１実施形態による単レンズの結像レンズを有する撮像装置の有効焦点距離（ｅｆｆｅｃｔｉｖｅ  ｆｏｃａｌ  ｌｅｎｇｔｈ）ｆは、１．０５７６ｍｍである。また、表２に示すように、本考案の第１実施形態による単レンズの結像レンズを有する撮像装置のＢＦＬ／ＴＴＬ及びＯＨ／ＯＤは、数式１及び数式２の条件を満足する。
【００３１】
【表２】
0003167039.tif 000005
【００３２】
上述の表１、表２及び図３から分かるように、本考案の第１実施形態による単レンズの結像レンズを有する撮像装置３の全長ＴＴＬ＝１．５０９１ｍｍ、バックフォーカスＢＦＬ＝１．１５１５ｍｍである。これにより、本考案の第１実施形態による単レンズの結像レンズを有する撮像装置３は、長さを低減し、バックフォーカスを短縮できることが証明できる。
【００３３】
（第２実施形態）
図４を参照する。図４は、本考案の第２実施形態による単レンズの結像レンズを有する撮像装置を示す断面図である。本考案の第２実施形態による単レンズの結像レンズを有する撮像装置３は、第１実施形態と類似する。しかし、本考案の第２実施形態による単レンズの結像レンズを有する撮像装置３においては、光軸Ｚに沿って対物側から結像側の方向に順番に配置される、開口絞り３２、レンズ３１及びイメージセンサ３５のみを含む。レンズ３１及びイメージセンサ３５の構造は、第１実施形態と同一である。また、開口絞り３２は、前置絞りに属する。
【００３４】
表３及び図４を合わせて参照する（符号は、表１を参照）。
【００３５】
【表３】
0003167039.tif 000006
【００３６】
本考案の第２実施形態において、レンズ３１は、Ｎｄ＝１．８０９、Ｖｄ＝４０．４であり、ガラス材料からなる。また、本考案の第２実施形態による単レンズの結像レンズを有する撮像装置の有効焦点距離ｆは、０．３７４９ｍｍである。また、表４に示すように、本考案の第２実施形態による単レンズの結像レンズを有する撮像装置のＢＦＬ／ＴＴＬ及びＯＨ／ＯＤは、数式１及び数式２の条件を満足する。
【００３７】
【表４】
0003167039.tif 000007
【００３８】
上述の表３、表４及び図４から分かるように、本考案の第２実施形態による単レンズの結像レンズを有する撮像装置３の全長ＴＴＬ＝０．４９９９ｍｍ、バックフォーカスＢＦＬ＝０．２９３４ｍｍである。これにより、本考案の第２実施形態による単レンズの結像レンズを有する撮像装置３は、長さを低減し、バックフォーカスを短縮でき、小型化を実現し、単レンズの結像レンズを有する撮像装置３の応用性を高めることができることが証明できる。
【００３９】
図５〜図１４を参照する。図５〜図１４は、それぞれ、本考案の単レンズの結像レンズを有する撮像装置３の実施例１〜実施例１０を示す断面図である。本考案の単レンズの結像レンズを有する撮像装置３を実際に応用する場合、同等の効果を有するように変更を行ってもよい。即ち、実施例１〜実施例１０に示す構造は、それぞれ異なるが、何れも、上述の第１実施形態及び第２実施形態の構造に合致すると共に、数式１及び数式２に示す条件を満足する。
【００４０】
（実施例１）
図５を参照する。実施例１の単レンズの結像レンズを有する撮像装置３は、結像側（図底端）から対物側（図上端）の方向に順番に配置される、イメージセンサ３５、カバーガラス３４、赤外線フィルタ３３、開口絞り３２及びレンズ３１を備える。上述の各部材は、互いに直接貼着されることにより、積層構造が形成される。即ち、カバーガラス３４の結像側は、イメージセンサ３５上に直接貼着される。赤外線フィルタ３３の結像側は、カバーガラス３４上に直接貼着される。開口絞り３２の結像側は、赤外線フィルタ３３上に直接貼着される。レンズ３１の結像側３１ｂは、開口絞り３２上に直接貼着される。このように、上述の各部材間には、如何なる間隔も存在しないため、単レンズの結像レンズを有する撮像装置３の全長を有効に短縮することができる。また、上述の各部材３１〜３５の構造は、第１実施形態と同一であるため、ここでは詳しく述べない。
【００４１】
（実施例２）
図６を参照する。実施例２の単レンズの結像レンズを有する撮像装置３は、実施例１と同様である。異なる点としては、実施例２においては、カバーガラス３４が配置されない。実施例２においては、赤外線フィルタ３３の結像側がイメージセンサ３５上に直接貼着される。これにより、単レンズの結像レンズを有する撮像装置３の全長を実施例１より短くすることができる。
【００４２】
（実施例３）
図７を参照する。実施例３の単レンズの結像レンズを有する撮像装置３は、実施例１と同様である。異なる点としては、実施例３においては、めっきにより、レンズ３１の結像側３１ｂの光学作用領域３１１上に薄膜状の赤外線フィルタ３３が形成される。これにより、単レンズの結像レンズを有する撮像装置３の全長を実施例１より短くすることができる。
【００４３】
（実施例４）
図８を参照する。実施例４の単レンズの結像レンズを有する撮像装置３は、実施例３と同様であるる。異なる点としては、実施例３においては、カバーガラス３４が配置されず、開口絞り３２の結像側がイメージセンサ３５上に直接貼着される。これにより、単レンズの結像レンズを有する撮像装置３の全長を実施例３より短くすることができる。
【００４４】
（実施例５）
図９を参照する。実施例５の単レンズの結像レンズを有する撮像装置３は、上述の第２実施形態に対応しており、構造は、実施例４と同様である。異なる点としては、実施例５においては、開口絞り３２がレンズ３１の対物側３１ａの非光学作用領域３１２上に配置され、前置絞りが形成される。これにより、レンズ３１の結像側３１ｂがイメージセンサ３５上に直接貼着されるため、単レンズの結像レンズを有する撮像装置３の全長を実施例４より短くすることができる。
【００４５】
（実施例６）
図１０を参照する。実施例６の単レンズの結像レンズを有する撮像装置３は、実施例５と同様である。異なる点としては、実施例６においては、薄膜状の赤外線フィルタ３３がレンズ３１の対物側３１ａの光学作用領域３１１上に形成される。レンズ３１の結像側３１ｂは、イメージセンサ３５上に直接貼着される。
【００４６】
（実施例７）
図１１を参照する。実施例７の単レンズの結像レンズを有する撮像装置３は、実施例２と同様である。異なる点としては、実施例７においては、開口絞り３２がレンズ３１の対物側３１ａの非光学作用領域３１２上に配置される。これにより、レンズ３１の結像側３１ｂが赤外線フィルタ３３上に直接貼着されるため、単レンズの結像レンズを有する撮像装置３の全長を実施例２より短くすることができる。
【００４７】
（実施例８）
図１２を参照する。実施例８の単レンズの結像レンズを有する撮像装置３は、実施例３と同様である。異なる点としては、実施例８においては、開口絞り３２がレンズ３１の対物側３１ａの非光学作用領域３１２上に配置される。これにより、レンズ３１の結像側３１ｂがカバーガラス３４上に直接貼着されるため、単レンズの結像レンズを有する撮像装置３の全長を実施例３より短くすることができる。
【００４８】
（実施例９）
図１３を参照する。実施例９の単レンズの結像レンズを有する撮像装置３は、実施例８と同様である。異なる点としては、実施例９においては、薄膜状の赤外線フィルタ３３がレンズ３１の対物側３１ａの光学作用領域３１１上に形成される。
【００４９】
（実施例１０）
図１４を参照する。実施例１０の単レンズの結像レンズを有する撮像装置３は、実施例１と同様である。異なる点としては、実施例１０においては、開口絞り３２がレンズ３１の対物側３１ａの非光学作用領域３１２上に配置される。これにより、レンズ３１の結像側３１ｂが赤外線フィルタ３３上に直接貼着されるため、単レンズの結像レンズを有する撮像装置３の全長を実施例１より短くすることができる。
【００５０】
また、大量生産によるコスト低減を実現するため、本考案の単レンズの結像レンズを有する撮像装置３の上述の実施例１〜実施例１０は、アレイ方式によって作成してもよい。即ち、まず、単レンズの結像レンズを有する撮像装置アレイ４を作成し、それを分割して複数の単レンズの結像レンズを有する撮像装置３を作成してもよい。
【００５１】
図１５及び図１６を参照する。図１５及び図１６においては、実施例１の単レンズの結像レンズを有する撮像装置３が採用されているが、これのみに限定されない。本考案の一実施形態による単レンズの結像レンズを有する撮像装置アレイ４は、複数のイメージセンサ３５を有するイメージセンサアレイ４５と、複数のカバーガラス３４を有するカバーガラスアレイ４４と、複数の赤外線フィルタ３３を有する赤外線フィルタアレイ４３と、複数の開口絞り３２を有する開口絞りアレイ４２と、複数のレンズ３１を有するレンズアレイ４１と、が積層されて構成される。実施例１の単レンズの結像レンズを有する撮像装置３の構造に基づき、イメージセンサアレイ４５、カバーガラスアレイ４４、赤外線フィルタアレイ４３、開口絞りアレイ４２及びレンズアレイ４１は、それぞれ、まず、アレイ構造体に作成される（図１６参照）。次に、各アレイ構造体が積層されることにより、単レンズの結像レンズを有する撮像装置アレイ４が形成される（図１５参照）。その後、単レンズの結像レンズを有する撮像装置アレイ４は、複数の実施例１に示す単レンズの結像レンズを有する撮像装置３に分割される。
【００５２】
図１５及び図１６に示すように、本実施形態による単レンズの結像レンズを有する撮像装置アレイ４は、９つの実施例１に示す構造の単レンズの結像レンズを有する撮像装置３を含む。ここで、本考案の単レンズの結像レンズを有する撮像装置アレイ４のアレイ形状は、限定されず、環状アレイ又は矩形アレイでもよい。本実施形態においては、矩形アレイが採用されている。
【００５３】
本考案の単レンズの結像レンズを有する撮像装置は、全長及びバックフォーカスを短縮できるため、携帯電話に求められる軽薄短小化を実現することができる上、携帯電話内部の空間に余裕を持たせることができる。また、本考案の単レンズの結像レンズを有する撮像装置の構造は、医療用の内視鏡レンズ、短焦点レンズなどの他のレンズに応用することができる。また、本考案の単レンズの結像レンズを有する撮像装置に採用される部材は、厚さが薄いため、有効にコストを節約することができる。
【符号の説明】
【００５４】
１  単レンズの結像レンズを有する撮像装置
１１  イメージセンサ
１２  レンズホルダ
１３  レンズモジュール
１４  カバーガラス
１５  レンズ
１６  赤外線フィルタ
２  単レンズの結像レンズを有する撮像装置
２１  イメージセンサ
２２  スペーサ
２３  カバーガラス
２４  赤外線フィルタ
２５  光学絞り
２６  レンズ
３  単レンズの結像レンズを有する撮像装置
３１  レンズ
３１ａ  対物側
３１ｂ  結像側
３１１  光学作用領域
３１２  非光学作用領域
３２  開口絞り
３３  赤外線フィルタ
３４  カバーガラス
３５  イメージセンサ
３６  対象物
４  単レンズの結像レンズを有する撮像装置アレイ
４１  レンズアレイ
４２  開口絞りアレイ
４３  赤外線フィルタアレイ
４４  カバーガラスアレイ
４５  イメージセンサアレイ
【図１】
0003167039.tif 000008
【図２】
0003167039.tif 000009
【図３】
0003167039.tif 000010
【図４】
0003167039.tif 000011
【図５】
0003167039.tif 000012
【図６】
0003167039.tif 000013
【図７】
0003167039.tif 000014
【図８】
0003167039.tif 000015
【図９】
0003167039.tif 000016
【図１０】
0003167039.tif 000017
【図１１】
0003167039.tif 000018
【図１２】
0003167039.tif 000019
【図１３】
0003167039.tif 000020
【図１４】
0003167039.tif 000021
【図１５】
0003167039.tif 000022
【図１６】
0003167039.tif 000023